(57)【要約】【課題】空気弁の止水不良による漏水の弊害を解消する。【解決手段】排気弁部８、又は排気弁部８及び吸気弁部９を有する空気弁１０の排気口１１及び吸気口１２の夫々を排水管４に接続する器具であって、排水管４に直立して接続され、上下の夫々に間隔を置いて通気穴６と逆流水排水穴７とを設けることにより、排気弁部８及び吸気弁部９の一方又は両方が止水不良を生じた場合、排気口１１及び吸気口１２からの漏水は排水管４を通して排出される。又、空気弁１０が正常な場合、排気弁部８は外気と連通している通気穴６と逆流水排水穴７から排気させる。又、止水不良時に配管系内に負圧を生じた場合、又は、空気弁１０が正常で吸気弁部９が作動した場合、万一排水管４内の汚水が逆流してきたとしても、逆流水排水穴７から汚水が排出され、逆流を完全に防止する。【選択図】        図１
2004257480.tif 000002
【特許請求の範囲】
【請求項１】
排気弁部、又は排気弁部及び吸気弁部を有する空気弁の排気口及び吸気口の夫々を排水管に接続する器具であって、排水管に直立して接続され、上下の夫々に間隔を置いて通気穴と逆流水排水穴とを設けたことを特徴とする空気弁の漏水用排水器具。
【発明の詳細な説明】
【０００１】
【発明の属する技術分野】
本発明は、排気弁部、又は排気弁部及び吸気弁部を有する空気弁からの漏水を排水する器具に関する。
【０００２】
【従来の技術】
従来、空気弁は、給水管や給湯管等の配管系に取付けて使用されており、流水中に発生又は存在する気泡群を弁箱内に捕集し、弁箱内に滞留した空気により弁箱内の水位が所定位置まで降下することで、弁箱内に設けたフロートの上下位置に応じ排気弁口を開閉する排気弁体が開弁し、排気弁口から空気を系外に排出する様に成した排気弁部のみを設けたもの、又は、この排気弁部と、凍結防止等のために配管内を水抜きする時など配管系内に負圧を生じた際に、吸気弁口を開閉する吸気弁体が自動的に開弁し、大気を配管内に導入して水抜きを迅速にして且つ完全に行う様にした吸気弁部とを設けたものが見受けられる（例えば、特許文献１参照）。
【０００３】
【特許文献１】
実開昭６３−１０１３７５号公報
【０００４】
【発明が解決しようとする課題】
上記空気弁にあっては、排気弁部及び吸気弁部における各弁体は弁箱上部に設けられ、弁箱内の水が接触しない様に配慮されているが、配管系内の圧力が上昇すると、各弁体周辺へ水面も上昇し、水面上に浮遊するゴミや埃等の異物が各弁体の一方又は両方に付着する場合があり、異物が付着した弁体ではこれに対応した弁口を正常に閉塞できない不具合を有し、この様な事態が生ずると、配管系内の圧力上昇時には排気弁口や吸気弁口から系外へ水が排出され、その周辺が水浸しとなるといった不具合を有している。
そこで、本発明では、空気弁本来の排気及び吸気機能に支障を来すことなく、排気弁部及び吸気弁部を排水管に接続し、排気弁部及び吸気弁部の一方又は両方が止水不良となった時に生ずる漏水を排水管へ導くと共に、その止水不良時に配管系内が万一負圧になっても、汚水を配管系内へ逆流させない漏水用排水器具を提供することを目的としている。
【０００５】
【課題を解決するための手段】
本発明は、上記課題に鑑み、排気弁部、又は排気弁部及び吸気弁部を有する空気弁の排気口及び吸気口の夫々を排水管に接続する器具であって、排水管に直立して接続され、上下の夫々に間隔を置いて通気穴と逆流水排水穴とを設けることにより、排気弁部及び吸気弁部の一方又は両方が止水不良を生じた場合、排気口及び吸気口からの漏水は排水管を通して排出される。
又、空気弁が正常な場合、排気弁部は外気と連通している通気穴と逆流水排水穴から排気する。
又、止水不良時に配管系内に負圧を生じた場合、又は、空気弁が正常で吸気弁部が作動した場合、万一排水管内の汚水が逆流してきたとしても、逆流水排水穴から汚水が排出され、逆流を完全に防止する様にして、上記課題を解決する。
【０００６】
【発明の実施の形態】
以下本発明の一実施例を図面に基づいて説明する。
本発明に係る漏水用排水器具の本体１は、小径筒部２と大径筒部３とを上下に連続形成して成り、大径筒部３を排水管４に直立に接続している。
尚、図１において排水管４はＬ状に立ち上がったものを示したが、横に長い排水管４に大径筒部３を直交状に接続しても良い。
小径筒部２は、上面中心に接続ノズル５を突設すると共に、上面周囲に通気穴６を貫設し、又小径筒部２が連続する大径筒部３の上面には複数の逆流水排水穴７を貫設している。
尚、通気穴６と逆流水排水穴７とは、本体１の上下の夫々に間隔を置いて設ければ良いので、本体１を円筒形状にして、その上端に接続ノズル５を設け、通気穴６を上端又は側面上方に設け、側面下方に逆流水排水穴７を設けても良い。
そして、接続ノズル５は、給水管や給湯管等の配管系に取付けて使用されるものにして、配管系内の空気を排出する排気弁部８、又は、排気弁部８と、配管系内に負圧を生じた時に大気を導入する吸気弁部９を有する空気弁１０の排気口１１及び吸気口１２の夫々にホース１３を介して接続している。
【０００７】
空気弁１０は、図２に示す給湯設備では、給湯機１４の給湯管１５に接続され、弁箱１６の下端部に配管系に接続する流入口１７を設けると共に、上部には排気弁部８と吸気弁部９とを設けている。
排気弁部８は、弁箱１６内部に連通する排気筒１８を立設し、該排気筒１８は、その内部上方に弁箱１６の内外を連通する排気弁口１９を設け、該排気弁口１９を開閉する排気弁体２０を下方より配置している。
排気弁体２０はその下部に排気弁棒２１を突設し、該排気弁棒２１は排気筒１８下部に装着した弁棒案内筒２２に挿通し、該弁棒案内筒２２において、排気弁棒２１の挿通孔２３は、上方を拡径して排気弁バネ受２３ａを形成し、該排気弁バネ受２３ａと排気弁体２０の間に排気弁バネ２４を圧縮介装することにより、排気弁体２０を閉弁方向に付勢している。
又、弁棒案内筒２２は、その下端から挿通孔２３に渡って穿設することにより、該挿通孔２３を共有する弁箱１６と排気筒１８との連通路２５を設けている。
排気弁棒２１下端は、弁箱１６内に突入すると共に、梃子杆２６を介して弁箱１６内に収容したフロート２７に連繋し、該フロート２７の上下位置に応じ排気弁体２０が排気弁口１９を開閉する様に成している。
排気筒１８には、排気弁口１９に連通するノズル状の排気口１１を上部側面に突設したキャップ２８を外嵌している。
【０００８】
吸気弁部９は、弁箱１６内部に連通する吸気筒２９を立設し、該吸気筒２９は、その上部に弁箱１６の内外を連通する吸気弁口３０を設け、該吸気弁口３０の下方開口端には、Ｏリングから成る吸気弁座３１を取付け、該吸気弁座３１に吸気弁口３０を開閉する球状の吸気弁体３２を着離自在に設け、該吸気弁体３２とその下方に設けた吸気弁バネ受３３との間に吸気弁バネ３４を圧縮介装して吸気弁体３２を閉弁方向に付勢している。
又、吸気筒２９には、吸気弁口３０に連通するノズル状の吸気口１２を上部側面に突設したキャップ３５を外嵌している。
尚、本実施例にあっては、排気弁部８と吸気弁部９とを設けた空気弁１０について説明したが、この様な空気弁１０に限定されず、排気弁部３だけを有する空気弁１０であっても良く、又排気弁部８と吸気弁部９は上記構成のものに何ら限定されない。
【０００９】
次に本発明に係る漏水用排水器具の作用について説明する。
空気弁１０が正常な場合において、弁箱１６内に配管内に発生した気泡が弁箱１６内に流入して滞留され、弁箱１６内の水位が低下すると、その分フロート２７の受ける浮力が減少し、フロート２７は排気弁バネ２４の付勢力に抗してその自重により下降動作し、これに伴い梃子杆２６を介して排気弁体２０は下降連動して排気弁口１９が開口し、弁箱１６内に滞留した空気は排気口１１からホース１３を経て本体１の通気穴６と逆流水排水穴７から排出される。
又、配管内に負圧を生じ、弁箱１内部が負圧となると、吸気弁体３２は下降動作し、該吸気弁体３２は吸気弁座３１より離脱して吸気弁口３０は開口し、外気に通ずる本体１の通気穴６と逆流水排水穴７から外気が導入され、負圧を解消する。
この時、排水管４内の汚水が逆流してきたとしても、逆流水排水穴７から汚水が排出される。
そして、排気弁部８及び吸気弁部９の一方又は両方が止水不良を生じた場合、排気口１１及び吸気口１２からの漏水はホース１３、本体１を経て排水管４へ排出される。
この止水不良時に配管系内に負圧が生じ弁箱１０内が負圧となった場合に、万一排水管４内の汚水が逆流してきても、上記と同様に逆流水排水穴７から汚水は排出される。
【００１０】
【発明の効果】
要するに本発明は、排気弁部８、又は排気弁部８及び吸気弁部９を有する空気弁１０の排気口１１及び吸気口１２の夫々を排水管４に接続する器具であって、排水管４に直立して接続され、上下の夫々に間隔を置いて通気穴６と逆流水排水穴７とを設けたので、排気弁部８及び吸気弁部９の一方又は両方が止水不良を起こし、排気口１１及び吸気口１２から漏水を生じても、排水管４へ排水でき、空気弁１０周辺が水浸しとなる弊害を解消できる。
又、空気弁１０が正常な場合、排気弁部８は外気と連通している通気穴６と逆流水排水穴７から排気できると共に、吸気弁部９は通気穴６と逆流水排水穴７から吸気でき、空気弁１０本来の排気及び吸気機能に支障を来すことはない。
そして、上記の吸気時及び止水不良時に空気弁１０内で負圧を生じた場合で、万一排水管４内の汚水が逆流してきたとしても、逆流水排水穴６から汚水が排出され、その逆流を完全に防止できる等その実用的効果甚だ大である。
【図面の簡単な説明】
【図１】漏水用排水器具の断面図である。
【図２】漏水用排水器具の使用例を示す簡略配管図である。
【図３】空気弁の断面図である。
【符号の説明】
４  排水管
６  通気穴
７  逆流水排水穴
８  排気弁部
９  吸気弁部
１０  空気弁
１１  排気口
１２  吸気口
【図１】
2004257480.tif 000003
【図２】
2004257480.tif 000004
【図３】
2004257480.tif 000005